(57)【要約】【課題】  大当たり時において大入賞口への遊技球の入賞を連続して行わせ、継続に対する期待感をより多く持たせることができ、遊技性をより向上させることができるパチンコ遊技機を提供する。【解決手段】  所定条件を満たして大当たりが発生した際に開成状態となる大入賞口７を具備したパチンコ遊技機であって、大入賞口内への遊技球の通過を検出する入賞球検出手段１７と、該入賞球検出手段１７による遊技球の通過を検出した後、次に遊技球の通過を検出するまでの経過時間を計測すべく、当該次の遊技球の通過時に計測時間をクリアするとともに更なる次の遊技球の通過時までの経過時間の計測を開始し得るタイマ手段２１とを具備し、タイマ手段２１による経過時間が所定時間に達した際に大当たり状態を終了させるものである。【選択図】図３
2005080833.tif 000002
【特許請求の範囲】
【請求項１】
所定条件を満たして大当たりが発生した際に開成状態となる大入賞口を具備したパチンコ遊技機であって、
前記大入賞口内への遊技球の通過を検出する入賞球検出手段と、
該入賞球検出手段による遊技球の通過を検出した後、次に遊技球の通過を検出するまでの経過時間を計測すべく、当該次の遊技球の通過時に計測時間をクリアするとともに更なる次の遊技球の通過時までの経過時間の計測を開始し得るタイマ手段と、
を具備し、前記タイマ手段による経過時間が所定時間に達した際に大当たり状態を終了させることを特徴とするパチンコ遊技機。
【請求項２】
前記タイマ手段にて計測された経過時間が所定時間に達した時点で、大当たり状態を強制的に終了させることを特徴とする請求項１記載のパチンコ遊技機。
【請求項３】
前記タイマ手段にて計測された経過時間が所定時間に達し、且つ、前記入賞球検出手段が所定個数の遊技球の通過を検出した後、大当たり状態を終了させることを特徴とする請求項１記載のパチンコ遊技機。
【請求項４】
前記タイマ手段により計測された経過時間に基づく経過状況を表示することを特徴とする請求項１〜請求項３の何れか１つに記載のパチンコ遊技機。
【発明の詳細な説明】
【技術分野】
【０００１】
本発明は、所定条件を満たして大当たりが発生した際に開成状態となる大入賞口を具備したパチンコ遊技機に関するものである。
【背景技術】
【０００２】
パチンコ遊技機は、通常、その遊技盤の略中央に配設された液晶画面等から成る図柄表示手段を有しており、かかる図柄表示手段は、遊技球が始動口に入賞して始動条件が成立すると、３つの図柄を変動表示させて所定時間経過した後、順次停止表示させ、それら３つの図柄が同じとなって揃った場合、大入賞口を開成させ、遊技者にとって有利な特別遊技状態、即ち大当たり状態とされる。かかる大入賞口には、継続入賞口と一般入賞口とが形成されており、このうち継続入賞口へ遊技球が通過することにより次のラウンドへの継続権が得られるようになっていた。
【０００３】
また、遊技球が大入賞口の継続入賞口及び一般入賞口を通過することにより多数の賞球を獲得し得るようになっており、当該大入賞口を通過する遊技球が所定個数に達した時点でそのラウンドが終了し、次のラウンドに移行する。このように、順次ラウンドが繰り返され、所定のラウンド数で大当たり状態が終了することとなるのであるが、特定のラウンドにおいて継続入賞口への入賞がない場合、所謂パンク状態となってラウンド数が所定数に達していなくても大当たり状態が終了するよう構成されている。
【０００４】
然るに、上記継続入賞口と一般入賞口とが大入賞口内に形成されたものにおいては、それぞれに遊技球の通過検出スイッチを設けなければならず、構成が複雑化してしまうという不具合を有していた。かかる不具合を回避すべく、従来、大入賞口における遊技球の通過領域を１つとし、大入賞口の開成時間中、上記継続入賞口としての機能を果たす時間（特定時間）と一般入賞口としての機能を果たす時間とを設定し、これらの時間を一定周期にて繰り返し行わせるものが提案されている（例えば、特許文献１にて開示されている）。
【特許文献１】特開昭６４−４９５８７号公報
【発明の開示】
【発明が解決しようとする課題】
【０００５】
しかしながら、上記従来のパチンコ遊技機においては、継続入賞口としての機能を果たす特定時間が一定周期で繰り返し設定されているので、遊技者にとっては当該特定時間に遊技球を通過させればよいので、連続して遊技球を大入賞口へ入賞させる意欲が削がれ、大当たり中における継続に対する期待感が薄れてしまい、面白みに欠けてしまうという問題があった。即ち、大当たり時、連続して大入賞口に入賞させても、それが特定時間でなければ大当たり状態が終了してしまう可能性があるので、遊技者にとってより多くの遊技球を大入賞口へ通過させ、次のラウンドへの継続権を得ようとする試みが薄れてしまうのである。
【０００６】
本発明は、このような事情に鑑みてなされたもので、大当たり時において大入賞口への遊技球の入賞を連続して行わせ、継続に対する期待感をより多く持たせることができ、遊技性をより向上させることができるパチンコ遊技機を提供することにある。
【課題を解決するための手段】
【０００７】
請求項１記載の発明は、所定条件を満たして大当たりが発生した際に開成状態となる大入賞口を具備したパチンコ遊技機であって、前記大入賞口内への遊技球の通過を検出する入賞球検出手段と、該入賞球検出手段による遊技球の通過を検出した後、次に遊技球の通過を検出するまでの経過時間を計測すべく、当該次の遊技球の通過時に計測時間をクリアするとともに更なる次の遊技球の通過時までの経過時間の計測を開始し得るタイマ手段とを具備し、前記タイマ手段による経過時間が所定時間に達した際に大当たり状態を終了させることを特徴とする。
【０００８】
請求項２記載の発明は、請求項１記載のパチンコ遊技機において、前記タイマ手段にて計測された経過時間が所定時間に達した時点で、大当たり状態を強制的に終了させることを特徴とする。
【０００９】
請求項３記載の発明は、請求項１記載のパチンコ遊技機において、前記タイマ手段にて計測された経過時間が所定時間に達し、且つ、前記入賞球検出手段が所定個数の遊技球の通過を検出した後、大当たり状態を終了させることを特徴とする。
【００１０】
請求項４記載の発明は、請求項１〜請求項３の何れか１つに記載のパチンコ遊技機において、前記タイマ手段により計測された経過時間に基づく経過状況を表示することを特徴とする。
【発明の効果】
【００１１】
請求項１〜請求項３の発明によれば、タイマ手段による経過時間が所定時間に達した際に大当たり状態を終了させるよう構成したので、大当たり時において大入賞口への遊技球の入賞を連続して行わせ、継続に対する期待感をより多く持たせることができ、遊技性をより向上させることができる。
【００１２】
請求項４の発明によれば、タイマ手段により計測された経過時間に基づく経過状況を表示するので、遊技者に継続権の獲得を図れるか否かの情報を認識させることができ、より遊技性を向上させることができる。
【発明を実施するための最良の形態】
【００１３】
以下、本発明の実施形態について図面を参照しながら具体的に説明する。
本実施形態に係るパチンコ遊技機は、３列の図柄を変動表示又は停止表示させる図柄表示手段を具備し、始動条件の成立により当該図柄が変動表示されるとともに、所定時間経過後に停止表示され、その停止表示された図柄が同一で揃った場合、大当たり状態として遊技者にとって有利な特別遊技状態が発生するものである。具体的には、図１に示すように、本パチンコ遊技機１は、ガラス板２が取り付けられた前面枠３を有しており、該ガラス板２から遊技者が遊技盤４を目視し得るよう構成されている。
【００１４】
かかる遊技盤４の遊技領域には、風車や複数の釘（不図示）が配設されるとともに、図柄表示手段５、始動口６及び大入賞口７が配設されている。このうち図柄表示手段５は、液晶表示画面から成るものであり、その画面に図柄や背景、及び演出のための各種キャラクタを表示し得るものである。然るに、始動口６に遊技球が入賞して始動条件が成立すると、３つの図柄を所定時間変動表示させ、これら図柄が３つ同じとなって揃った状態にて停止表示されれば「大当たり」状態を発生させ得るよう構成されている。
【００１５】
大入賞口７は、通常の遊技状態においては閉成しており、遊技球が通過し得ない状態とされるとともに、上記の如く大当たり状態が発生した際に開成状態となって、遊技球を通過させ入賞し得るよう構成されている。かかる大入賞口７への入賞により遊技者が多数の遊技球（賞球）を獲得できるといった遊技者にとって有利な特別遊技状態が発生する。尚、大当たり状態を発生させる図柄には、次の変動表示乃至停止表示にて再び「大当たり」状態が発生し易い確率変動とすべき図柄と、通常の確率で再び「大当たり」となる通常変動すべき図柄とがある。また、「大当たり」中においては、前面枠３や遊技盤４等に取り付けられた各種ランプやフラッシュ等が点滅或いは点灯するとともに、図柄表示手段５の画面上においてキャラクタ等による所定の演出が行われるようになっている。
【００１６】
更に、遊技盤４や前面枠３の所定位置（本実施形態においては遊技盤４における図柄表示手段５より上部の位置）には、４つのランプから成る保留球数表示手段１１が配設されており、残りの保留球数を遊技者に認識させ得るようになっている。かかる保留球数は、図柄表示手段５で図柄を変動表示中に更に始動口６に遊技球が入賞した際の保留球の数を示すものであり、保留球数に対応した数分だけ左から順にランプが点灯するよう構成されている。更に、パチンコ遊技機１の下部右隅にはハンドル８が配設されており、該ハンドル８の回動操作により上皿９内の遊技球を遊技盤４の遊技領域に連続的に打ち出し得るよう構成されている。尚、同図における符号１０は、下皿を示しており、該下皿１０の近傍にはスピーカ１２が配設されて、演出のための効果音などが発せられるようになっている。
【００１７】
パチンコ遊技機１の内部には、図２に示すように、メイン基板１３と、図柄制御基板１４と、ランプ制御基板１５と、音声制御基板１６とが主に配設されており、これらが互いに電気的に接続されているとともに、メイン基板１３には大入賞口７及び入賞球検出手段１７がそれぞれ電気的に接続されている。かかる入賞球検出手段１７は、大入賞口７が開成して遊技球が通過し得る状態（即ち、大当たり状態）となった際、当該遊技球の通過を検出するためのもので、接触式のスイッチ或いは非接触式のセンサ等何れの形態であってもよい。尚、図柄制御基板１４は図柄表示手段５と接続されて当該図柄表示手段５で表示される図柄等を制御するためのもの、ランプ制御基板１５は遊技盤４や前面枠３に配設されたランプ等の点灯又は点滅を制御するためのもの、及び音声制御基板１６はスピーカ１２と接続されて効果音等を制御するためのものである。
【００１８】
上記各基板は、それぞれＣＰＵやＲＯＭ及びＲＡＭ等を具備しつつ透明樹脂から成るケース（不図示）内に収容されているとともに、パチンコ遊技機１内部の所定位置に固定されている。ここで、メイン基板１３は、パチンコ遊技機１全般に亘る遊技内容を制御するためのものであり、主に大当たり抽選手段１８と、表示制御手段１９と、大当たり制御手段２０とを有するとともに当該大当たり制御手段２０にはタイマ手段２１が形成されている。かかるメイン基板１３には、大当たりが発生した際に開成状態とされる大入賞口７及び該大入賞口７内への遊技球の通過を検出する入賞球検出手段１７が電気的に接続されている。
【００１９】
大当たり抽選手段１８は、始動口６に遊技球が入賞した際に乱数を取得し、その取得された乱数値が予め設定された大当たりに該当するものか否かを判定することにより当該大当たりを抽選するためのものである。大当たり制御手段２０は、遊技状態が大当たり状態となった際、ランプ制御基板１５を介して各種ランプ等を通常とは異なる点灯又は点滅させて演出を行わせたり、或いは音声制御基板１６を介して効果音等による演出を行わせたりするものである。
【００２０】
また、大当たり時においては、大当たり制御手段２０は、閉成した状態の大入賞口７を開成状態として遊技球を通過させ得るようになっており、当該大入賞口７内へ遊技球が入賞することにより、多数の遊技球が獲得できるよう構成されている。ここで、大入賞口７への遊技球の通過は、記述の如く入賞球検出手段１７にて検出され、検出信号が大当たり制御手段２０へ送信され得るようになっている。ここで、大当たり制御手段２０には、入賞球検出手段１７から次々と送られてくる検出信号に基づき作動するタイマ手段２１が配設されている。
【００２１】
タイマ手段２１は、入賞球検出手段１７による大入賞口７内への遊技球の通過を検出した後、次に遊技球の検出を検出するまでの経過時間を計測すべく、当該次の遊技球の通過時に計測時間をクリアするとともに更なる次の遊技球の通過時までの経過時間の計測を開始し得るものである。具体的には、大当たり状態となって、大入賞口７が開成状態となると同時にタイマ手段２１が作動し、経過時間を計測するのであるが、遊技球が大入賞口７へ入賞すると経過時間の計測値がクリアされるとともに更に０から経過時間の計測を行うことにより、前の入賞から次の入賞までの経過時間を順次計測するよう構成されているのである。
【００２２】
そして、タイマ手段２１にて前の入賞から次の入賞までの経過時間が所定時間（例えば５秒程度に設定するのが好ましい）に達したことを大当たり制御手段２０が認識すると、大入賞口７を閉成状態に戻して大当たり状態を終了させる。即ち、大入賞口７への一の入賞から次の入賞まで所定時間経過したことを認識すると、従来と同様、所謂パンク状態となって大当たり状態が途中であっても当該大当たりが終了してしまうように構成されているのである。
【００２３】
表示制御手段１９は、タイマ手段２１により計測された経過時間に基づく経過状況を表示して遊技者に認識させるものであり、例えば図柄制御基板１４を介して図柄表示手段５に所定時間に達するまであと何秒あるのかをカウントダウンで表示させるものである。尚、所定時間を表示させて今何秒経過しているのかを表示して経過状況を遊技者に認識させるようにしてもよいし、図柄表示手段５とは異なる他の構成要素（例えば図柄表示手段５とは別途に設けた表示手段）にて経過状況を表示させるようにしてもよい。
【００２４】
次に、上記構成のパチンコ遊技機１における大当たりの際の制御について説明する。
まず、図３のフローチャートに示すように、大当たり抽選手段１８にて大当たりと判定されると（Ｓ１）、Ｓ２にて大入賞口７が開成状態とされ、それと略同時にタイマ手段２１が作動して経過時間の計測が開始される（Ｓ３）。その後、入賞球検出手段１７が大入賞口７への遊技球の通過を検出したか否か（大入賞口７への入賞があったか否か）が判別され（Ｓ４）、検出がない場合は、Ｓ５へ進んでタイマ手段２１による計測時間が所定時間に達したか否かが判別される。
【００２５】
そして、Ｓ５にて所定時間に達していないと判断された場合は、Ｓ４へ戻って入賞球検出手段１７が大入賞口７への入賞を検出したか否かの判別が再び行われる。大入賞口７への遊技球の入賞が検出されると、Ｓ６へ進み、その入賞が規定入賞個数（例えば１０個程度に設定）に達したか否かが判別される。かかるＳ６にて、まだ規定入賞個数に達していないと判断されると、タイマ手段２１によって計測された経過時間がクリアされるとともに、再度０からの経過時間の計測が行われ（Ｓ７）、Ｓ４へ戻って再び入賞球検出手段１７による検出があるか否かの判定が行われる。
【００２６】
一方、Ｓ５にて所定時間に達していると判断された場合は、大入賞口７への入賞個数が規定個数に達しておらず、規定ラウンドにも達していない状態であっても、その後の一連の大当たり動作が強制的に終了（大入賞口７も閉成状態とされる）する。即ち、規定個数及び規定ラウンド等大当たり時の諸条件に一切関与せず、タイマ手段２１にて計測された経過時間が所定時間に達した時点で、大当たり状態を強制的に終了させるのである。尚、Ｓ６にて大入賞口７への入賞が規定入賞個数に達したと判断されると、Ｓ８にて大入賞口Ｓ８が閉成状態とされるのであるが、予め設定された規定ラウンドに達しているか否かが判定され（Ｓ９）、達していなければＳ２へ戻って再び大入賞口７が開成状態とされるとともに、上記と同様の制御が行われ、Ｓ９にて規定ラウンドに達していると判定されれば、一連の大当たり状態が終了することとなる。
【００２７】
上記の如き制御により、タイマ手段２１による経過時間が所定時間に達した際に大当たり状態を終了させるよう構成したので、大当たり時において大入賞口７への遊技球の入賞を連続して行わせ、継続に対する期待感をより多く持たせることができ、遊技性をより向上させることができる。また、上記の如き一連の動作において、タイマ検出手段２１により計測された経過時間に基づく経過状況を表示するようにしているので、遊技者に継続権の獲得を図れるか否かの情報を認識させることができ、より遊技性を向上させることができる。
【００２８】
次に、本発明に係る第２の実施形態について説明する。
本実施形態に係るパチンコ遊技機は、第１の実施形態と同様の構成要素を有したものであるが、大当たり時の制御内容が異なるものである。以下、図４のフローチャートに基づいて本実施形態における大当たりの際の制御について説明する。尚、本実施形態に係るパチンコ遊技機の構成要素は、第１の実施形態の構成要素と略同様であるため、当該構成要素に関する符号は第１の実施形態と同一のもので記載することとする。
【００２９】
まず、同図フローチャートに示すように、大当たり抽選手段１８にて大当たりと判定されると（Ｓ１０）、Ｓ１１にて大入賞口７が開成状態とされ、それと略同時にタイマ手段２１が作動して経過時間の計測が開始される（Ｓ１２）。その後、入賞球検出手段１７が大入賞口７への遊技球の通過を検出したか否か（大入賞口７への入賞があったか否か）が判別され（Ｓ１３）、検出がない場合は、Ｓ１４へ進んでタイマ手段２１による計測時間が所定時間に達したか否かが判別される。
【００３０】
そして、Ｓ１４にて所定時間に達していないと判断された場合は、Ｓ１３へ戻って入賞球検出手段１７が大入賞口７への入賞を検出したか否かの判別が再び行われる。大入賞口７への遊技球の入賞が検出されると、Ｓ１５へ進み、その入賞が規定入賞個数（第１の実施形態と同様、例えば１０個程度に設定）に達したか否かが判別される。かかるＳ１５にて、まだ規定入賞個数に達していないと判断されると、タイマ手段２１によって計測された経過時間がクリアされるとともに、再度０からの経過時間の計測が行われ（Ｓ１６）、Ｓ１３へ戻って再び入賞球検出手段１７による検出があるか否かの判定が行われる。
【００３１】
一方、Ｓ１４にて所定時間に達していると判断された場合は、Ｓ１９へ進み、大入賞口７への入賞個数が規定入賞個数に達しているか否かが判別され、当該規定入賞個数に達するまで待つ（ループする）こととなる。然るに、Ｓ１９大入賞口７への入賞が規定入賞個数に達したと判断されると、Ｓ２０にて大入賞口２０を閉じて閉成状態とするとともに、一連の大当たり動作が終了する。即ち、本実施形態においては、タイマ手段２１にて計測された経過時間が所定時間に達した時点で、規定ラウンドに達しているか否かに関わらず大当たり状態が終了するように設定されてはいるものの、そのラウンドにおいては大入賞口７への入賞が規定入賞個数となるまで待ち、その後終了するのである。これにより、第１の実施形態とは異なり、少なくとも同ラウンドにおける大入賞口７への規定入賞個数までの入賞が確保されることとなる。
【００３２】
尚、Ｓ１５にて大入賞口７への入賞が規定入賞個数に達したと判断されると、Ｓ１７にて大入賞口Ｓ８が閉成状態とされるのであるが、予め設定された規定ラウンドに達しているか否かが判定され（Ｓ１８）、達していなければＳ１１へ戻って再び大入賞口７が開成状態とされるとともに、上記と同様の制御が行われ、Ｓ１８にて規定ラウンドに達していると判定されれば、一連の大当たり状態が終了することとなる。また、第１の実施形態と同様、上記の如き一連の動作において、タイマ検出手段２１により計測された経過時間に基づく経過状況を表示するようにしているので、遊技者に継続権の獲得を図れるか否かの情報を認識させることができ、より遊技性を向上させることができる。
【００３３】
以上、本実施形態について説明したが、本発明はこれに限定されず、表示制御手段によるタイマ手段２１の計測時間に基づく経過状況を表示させないようにしてもよい。また、タイマ手段２１の計測時間に基づく経過状況をスピーカ１２等から遊技者に報知するようにしてもよい。かかる場合、カウントダウンをスピーカ１２から音声にて報知するようにしてもよく、或いは経過時間自体を報知するようにしてもよい。
【産業上の利用可能性】
【００３４】
本発明に係るパチンコ遊技機は、所定条件を満たして大当たりが発生した際に開成状態となる大入賞口を具備したものであれば、他の形態のもの（外観形状等が異なるもの）にも適用することができる。
【図面の簡単な説明】
【００３５】
【図１】本発明の第１の実施形態に係るパチンコ遊技機を示す外観図
【図２】同内部構成を示すブロック図
【図３】同パチンコ遊技機における大当たり状態の際の制御を示すフローチャート
【図４】本発明の第２の実施形態に係るパチンコ遊技機における大当たり状態の際の制御を示すフローチャート
【符号の説明】
【００３６】
１    パチンコ遊技機
２    ガラス板
３    前面枠
４    遊技盤
５    図柄表示手段
６    始動口
７    大入賞口
８    ハンドル
９    上皿
１０  下皿
１１  保留球数表示手段
１２  スピーカ
１３  メイン基板
１４  図柄制御基板
１５  ランプ制御基板
１６  音声制御基板
１７  入賞球数検出手段
１８  大当たり抽選手段
１９  表示制御手段
２０  大当たり制御手段
２１  タイマ手段
【図１】
2005080833.tif 000003
【図２】
2005080833.tif 000004
【図３】
2005080833.tif 000005
【図４】
2005080833.tif 000006